(57)【要約】【課題】虫を捕獲可能な粘着性物質を、衛生的に使用できる捕虫器を提供する。【解決手段】捕虫器１は、側面にハエ等が侵入可能な径の円形の侵入孔４を有する筐体３１と、筐体３１の内部に着脱自在に取り付けられたハエ取り紙５１とから構成される。筐体３１は、一枚のシートを折込み、差込み構造のみで固定し、正四角柱体に組み立てられ、ハエ取り紙５１は、筐体３１の側面と離間して、筐体３１の内部に吊下げられた状態に取付けられる。捕虫器１は、粘着面が露出していないため、捕獲された虫が直に見え難く、また、衣類や手等が直接粘着面に触れることも少なくなるため、使用者等の不快感が減少し、衛生的に使用できる。そのため、不特定多数の人が出入りする飲食店等にも設置することができ、清潔で衛生的な環境が保たれる。【選択図】　　　　図１
2004113081.tif 000002
【特許請求の範囲】
【請求項１】
捕獲対象の虫が内部空間に侵入可能な侵入孔を有する筐体と、
粘着性物質の粘着力を利用して前記虫を捕獲する捕獲手段を、前記内部空間に着脱自在に取付け可能な取付け手段と
を具備することを特徴とする捕虫用ケース。
【請求項２】
前記筐体は、
一枚の平板を折線に従って折込むことにより組立てられ、
前記平板は、
少なくとも一つの差込孔が穿設され、前記折線を介して接続された複数の筐体面と、
前記筐体面の端部から延設され、前記差込孔に挿脱可能な差込片とを有し、
前記差込孔に前記差込片が差込まれることにより、前記筐体の組立状態を保持することを特徴とする請求項１に記載の捕虫用ケース。
【請求項３】
前記筐体は、
紙製材料を用いて形成されていることを特徴とする請求項１または請求項２に記載の捕虫用ケース。
【請求項４】
請求項１乃至請求項３のいずれか一つに記載の捕虫用ケースを利用する捕虫器であって、
粘着性物質の粘着力を利用して前記虫を捕獲する捕獲手段と、
前記虫が内部空間に侵入可能な侵入孔を有する筐体、および前記捕獲手段を前記内部空間に着脱自在に取付ける取付け手段を備える前記捕虫用ケースと
を具備することを特徴とする捕虫器。
【請求項５】
前記筐体の前記内部空間に、
前記虫を誘引する誘引手段をさらに有することを特徴とする請求項４に記載の捕虫器。
【請求項６】
前記誘引手段は、
前記筐体の内壁面の少なくとも一部が光反射性素材で形成されていることを特徴とする請求項４または請求項５に記載の捕虫器。
【請求項７】
前記筐体の前記筐体面は、
前記捕虫用ケースを壁面に掛止可能なフック孔が穿設されていることを特徴とする請求項４乃至請求項６のいずれか一つに記載の捕虫器。
【発明の詳細な説明】
【０００１】
【発明の属する技術分野】
本発明は、捕虫用ケースおよび捕虫器に関するものであり、特に粘着性物質の粘着力を利用して虫を捕獲する捕虫用ケースおよび捕虫器に関するものである。
【０００２】
【従来の技術】
地球上の多くの動物の中には、衛生面、経済面、および農業面等で人類に種々の害を与える動物群が存在する。中でもハエ、ゴキブリおよび蚊などの衛生害虫は、一般家庭、オフィスビル、および事業場等の居住環境の中で、人間に対して衛生的および心理的な害を与えている。そのため、人間は古くからこれらの害虫に悩まされ、様々な対策を講じてきた。
【０００３】
特にハエは、羽音がうるさいだけでなく、汚物に集まる習性を有すること等から人間に心理的不快感を与えるため、嫌悪されていた。さらに、腐った食べ物、生ゴミおよび動物の屍体から発生することが多く、赤痢菌、Ｏ−１５７およびサルモネラ菌等の病原菌を付着させた状態で室内等を飛びまわり、疾病を媒介することもあるため嫌われている。
【０００４】
ところで、飲食店においては、日々、大量の生ゴミを排出し、湿度および温度の高い厨房を有するため、ハエおよびゴキブリ等の発生しやすい環境であり、また、人の出入りも多いため、その際に蚊、ブユおよび蛾等が入りやすい。飲食店にとって、衛生管理をすること、および清潔感を客に覚えさせることは店舗のイメージにとって非常に重要であるため、ハエなどの害虫が店内を飛びまわらないよう、駆除することは大きな問題であった。しかし、飲食店では、食品を取り扱う性質上、殺虫剤は極力使用しないことが望ましく、衛生害虫の駆除には殺虫剤以外の様々な方法が試されてきた。最近は、虫が光の刺激によって走性を示す走光性をもつことが広く知られており、虫が最も走光性を示す近紫外線の波長（３６５ｎｍ）の光源で誘引し、高圧電流で駆除したり、ファンで捕集する誘引ライトトラップが普及している。しかし、誘引ライトトラップは、高価な上に、明るい所では誘引ライトの波長に反応しないハエには効果がなかった。そのため、ハエを駆除するには従来から知られている、粘着剤を塗布した油紙や合成フィルムを天井から吊るし、飛来するハエを粘着性物質によって捕獲する、いわゆるハエ取り紙を使用することが多かった。
【０００５】
以上の従来技術は、公知のものであり、出願人は、この従来技術が記載された文献を、本願出願時においては知見していない。
【０００６】
【発明が解決しようとする課題】
しかしながら、上述したハエ取り紙は、粘着面が露出した状態であり、捕獲されたハエが直に見えるため、使用者等の中には不快に感じる者もあった。特に、飲食店などでは、食事中にハエ等の害虫が視界に入るため、食事の雰囲気を壊し、客の気分を害することがあった。また、粘着面にハエが付着した状態で放置されるため、衛生上も問題があった。さらに、人間の衣服や手が触る可能性もあるため、使用者等にとって不快に感じることや、粘着面の粘着力が低下し、捕獲能力が衰えるという問題もあった。そのため、飲食店内では従来のハエ取り紙を使用することに躊躇し、ハエの捕獲に苦心していた。
【０００７】
そこで、本発明は、上記実情に鑑み、虫を捕獲可能な粘着性物質を、衛生的に使用できる捕虫用ケースおよび捕虫器を提供することを課題とするものである。
【０００８】
【課題を解決するための手段】
請求項１の発明にかかる捕虫用ケースは、捕獲対象の虫が内部空間に侵入可能な侵入孔を有する筐体と、粘着性物質の粘着力を利用して前記虫を捕獲する捕獲手段を前記内部空間に着脱自在に取付け可能な取付け手段とを具備するものである。
【０００９】
ここで、捕獲対象の虫とは、ハエ・蚊・ブユ・アブ・蛾・ゴキブリ・コオロギ・ムカデ・クモ・ダニ等が挙げられる。なお、本明細書において、虫とは、人類・獣類・鳥類・魚介類以外の小動物を総称する。さらに、ネズミ等の虫以外の小動物の捕獲に使用することも可能である。
【００１０】
また、捕獲手段とは粘着剤が塗布されたいわゆるハエ取り紙が相当し、さらに、これを着脱自在に取付ける取付け手段とは、ゴム等を介して、筐体に配設された掛止部に引掛けたり、あるいは、ボルトとナットにより締付ける等、従来から周知の技術を利用するものが例示される。
【００１１】
したがって、請求項１の発明の捕虫用ケースによれば、捕獲対象の虫を捕獲する捕獲手段を、筐体の内部空間に取付け手段を介して取付けるケースが形成される。さらに、虫は筐体の内部空間に侵入孔を経て侵入することが可能であるが、人間の手や衣類は入りにくい。
【００１２】
請求項２の発明にかかる捕虫用ケースは、請求項１に記載の捕虫用ケースにおいて、前記筐体は、一枚の平板を折線に従って折込むことにより組立てられ、前記平板は、少なくとも一つの差込孔が穿設され、前記折線を介して接続された複数の筐体面と、前記筐体面の端部から延設され、前記差込孔に挿脱可能な差込片とを有し、前記差込孔に前記差込片が差込まれることにより、前記筐体の組立状態を保持するものである。
【００１３】
したがって、請求項２の発明の捕虫用ケースによれば、請求項１の捕虫用ケースの作用に加え、捕虫用ケースを構成する筐体は、一枚の平板を折込んで組立て、差込片を差込孔に差込むことにより筐体の組立て状態を保持するため、接着剤、テープおよびステープル等を使用せず組立てることが可能となり、組立および解体が容易になる。
【００１４】
請求項３の発明にかかる捕虫用ケースは、請求項１または請求項２に記載の捕虫用ケースにおいて、前記筐体は、紙製材料を用いて形成されているものである。
【００１５】
したがって、請求項３の発明の捕虫用ケースによれば、請求項１または請求項２の捕虫用ケースの作用に加え、筐体が紙製材料から成形されているため、軽量であり、また、安価に製造することが可能となる。
【００１６】
請求項４の発明にかかる捕虫器は、請求項１乃至請求項３のいずれか一つに記載の捕虫用ケースを利用する捕虫器であって、粘着性物質の粘着力によって前記虫を捕獲する捕獲手段と、前記虫が内部空間に侵入可能な侵入孔を有する筐体、および前記捕獲手段を前記内部空間に着脱自在に取付ける取付け手段を備える前記捕虫用ケースとを具備するものである。
【００１７】
したがって、請求項４の発明の捕虫器によれば、請求項１乃至請求項３のいずれか一つの捕虫用ケースの作用に加え、虫が侵入可能な侵入孔が形成されている筐体の内部に捕獲手段が取り付けられているため、虫が侵入孔から侵入すると、粘着性物質の粘着力により捕獲される。この場合、虫が飛びまわる空間が限定されるため、捕虫用ケースがない場合に比べて捕獲率が格段に上がる。そして、前述の捕獲手段は、筐体内部に格納されているため、捕獲された虫は、使用者等から直に見えにくくなる。また、使用者等の衣服や手等が粘着性物質に直接触れることも少なくなるため、使用者等の不快感が減少するとともに、粘着性物質の粘着力の低下も防止される。さらに、廃却時も上述と同様の理由により、不快感が減少する。また、粘着性物質が筐体内部に格納されおり、粘着面が露出していないため、捕虫器を直に床および棚等の上に設置することが可能となる。
【００１８】
請求項５の発明にかかる捕虫器は、請求項４に記載の捕虫器において、前記筐体の前記内部空間に、前記虫を誘引する誘引手段をさらに有するものである。
【００１９】
したがって、請求項５の発明の捕虫器によれば、請求項４の捕虫器の作用に加え、内部空間に、捕獲する虫を誘引する誘引手段を有するため、虫が集まりやすい。なお、誘引手段は、揮発性誘引剤、食餌誘引剤などの化学薬品および誘引ランプ等の捕獲対象の虫の習性を利用するもの、ファン等で強制的に吸引するもの等、種々の手段が考えられる。
【００２０】
請求項６の発明にかかる捕虫器によれば、請求項４または請求項５に記載の捕虫器において、前記誘引手段は、前記筐体の内壁面の少なくとも一部が光反射性素材で形成されているものである。
【００２１】
したがって、請求項６の発明の捕虫器によれば、請求項４または請求項５の捕虫器の作用に加え、筐体の内面が光反射性素材によって形成されているため、外部から入光した光を反射し、捕虫器内部が明るくなる。その結果、明るいところを好む虫が集まりやすくなり、粘着力を利用した捕獲手段に捕獲されやすくなる。
【００２２】
請求項７の発明にかかる捕虫器は、請求項４乃至請求項６のいずれか一つに記載の捕虫器において、前記筐体の筐体面は、前記捕虫用ケースを壁面に掛止可能なフック孔が穿設されているものである。
【００２３】
したがって、請求項７の発明の捕虫器によれば、請求項４乃至請求項６のいずれか一つの捕虫器の作用に加え、筐体面にフック孔が形成されているため、フックおよび釘等の突起を利用して壁等に掛けられる。
【００２４】
【発明の実施の形態】
以下、本発明の一実施形態である捕虫器１について、図１乃至図５に基づき説明する。図１は本実施形態の捕虫器１の構成を示す斜視図であり、図２は捕虫器１の筐体３１の構成を示す展開図であり、図３は捕虫器１の構成を示す分解斜視図であり、図４は捕虫器１の下端付近の要部拡大斜視図であり、図５は捕虫器１の上端付近の要部拡大斜視図である。
【００２５】
本実施形態の捕虫器１は、一枚のシートを折込み、図１に示すような正四角柱体に組み立て可能な筐体３１と、ハエ取り紙５１とから主に構成される。筐体３１の展開時の形状は、図２に示すように、長方形の側面２ａ，２ｂ，２ｃ，２ｄが連なるように接続されており、その周縁に蓋面、底面、折込片および差込片が配設されているものである（詳細については後述する）。なお、筐体３１は、図５に示すようにクリーム色の艶加工が施され、製函時に内側になる厚紙Ｓ１と、外側になるダンボールＳ２とを貼着した二層構造のシートから構成されている。ここで、厚紙Ｓ１が本発明における光反射性素材に相当する。
【００２６】
さらに、筐体３１の展開時の各面および片の構成について、図２に基づいて詳しく説明する。側面２ａ，２ｂ，２ｃにはハエ等の虫が侵入可能な径の円形の侵入孔４が所定の配列で複数形成されている。そして、側面２ｄの上方中央付近には、蹄型のフック孔１８が直線部分を下にして形成され、側面２ｄの下方には、蹄型のフック孔１９が互いに直線部分を向かい合わせて、所定の幅を離間して横向きに形成されている。さらに、フック孔１８の下方には長円形と真円を組合せた孔２０が形成され、孔２０の上縁中央付近には、ハエ取り紙５１を引掛けて固定する引掛部２１が形成されている。また、側面２ｂおよび側面２ｄの下端の中央付近には、切込と折線によって形成され、内側に直角に折り込むことによりハエ取り紙５１の皿部５５を固定するための機能を有する爪部１０が設けられている。
【００２７】
そして、蓋面１１と底面１２とは、側面２ｃの短辺にそれぞれ対向して配設されている。また、蓋面１１には折込み片１３が、一方、底面１２には折返し片１４が、側面２ｃとの境界の対辺にそれぞれ設けられている。なお、折返し片１４には、差込片１５が配設されており、側面２ｃの下端中央付近には、スリット状の差込孔１６が穿設されている。
【００２８】
また、側面２ｂ，２ｄの短辺、および側面２ｄの側面２ｃと隣接しない長辺には、折込片５ａ，５ｂ，５ｃ，５ｄ，５ｅがそれぞれ配設されている。折込片５ａには、製函時に、蓋面１１の中央に相当する位置に円形孔６が形成され、また、側面２ｂとの境界の対辺に差込片７が設けられている。折込片５ｃには、製函時に前述の差込片７が差込まれるスリット状の差込孔８が穿設されている。
【００２９】
そして、側面２ａの側面２ｂと隣接しない長辺には、三つの差込片３が互いに所定の間隔を離間して設けられている。一方、折込片５ｅの側面２ｄとの境界付近には、前述の差込片３が差込まれるスリット状の差込孔１７が三つ形成されている。
【００３０】
ハエ取り紙５１は、図３に示すように、リボン状の黄色い合成フィルムの両面に粘着剤が塗布された粘着部位５２、粘着部位５２の一端に配設された円形状の取付部５４および粘着部位５２の他端に配設された樹脂製の皿部５５から構成されている。なお、取付部５４には、取付用穴５３が形成されている。ここで、ハエ取り紙５１は、市販のものであり、粘着部位５２が皿部５５に収容された状態で出荷および販売され、使用時（取付け時）に、皿部５５から引出して図３に示すような状態になるものである。ここで、ハエ取り紙５１が本発明における捕獲手段に相当する。
【００３１】
なお、本実施形態において、爪部１０および引掛部２１が本発明における取付け手段に相当し、爪部１０および引掛部２１を含む筐体３１が本発明における捕虫用ケースに相当する。また、側面２ａ，２ｂ，２ｃ，２ｄ、蓋面１１、底面１２、折込片５ａ，５ｂ，５ｃ，５ｄ，５ｅ，１３および折返し片１４が本発明における筐体面に相当する。
【００３２】
次に、捕虫器１の組み立て方について、図１乃至図５に基づいて説明する。まず、図２に示した筐体３１を形成するシートを、折線（図中二点鎖線）に従って折込み、図３に示すように底面１２の上に折込片５ｂ，５ｄを重ね、それらを挟みこむように折返し片１４を折返して底面１２の上に重ね、さらに差込片１５を差込孔１６に差込むことにより側面と底面を連結する。そして、折込片５ｃの上に折込片５ａを重ね、差込片７を差込孔８に差込む。これにより、側面２ａと蓋面１１が開いた正四角柱体状になる。そして、その内部形成された空間（内部空間）に、ハエ取り紙５１を入れ、図４に示すように、皿部５５を筐体３１の爪部１０で押える。さらに、ハエ取り紙５１の取付用穴５３に取付けられた輪ゴム６１を筐体３１の円形孔６に内側から通し、側面２ｄに形成されている引掛部２１に輪ゴム６１を引掛けると、ハエ取り紙５１が筐体３１の内部に吊下げられた状態に取付けられる。この状態で、側面２ａを折込片５ｅの上に重ね、差込片３を差込孔１７にそれぞれ差込み、側面を連結する。最後に、蓋面１１を折込片５ａおよび５ｃの上に重ね、差込片１３を側面２ａの内側に差込むと、図１に示すような正四角柱体の捕虫器１が完成する。
【００３３】
次に、捕虫器１の使用方法について説明する。側面２ｄに穿設されたフック孔１８を利用して、壁に既設されたフック（図示しない）等に捕虫器１を掛ける。そして、室内を飛びまわっているハエ等の飛翔虫が、侵入孔４から捕虫器１の内部に侵入すると、粘着部位５２の粘着性により、粘着部位５２に付着し、捕獲される。この場合、虫が飛びまわる空間が限定されるため、捕虫用ケースがない場合に比べて捕獲率が格段に上がる。なお、捕虫器１は、フック孔１９および孔２０の二箇所を利用すれば横向きにも掛けることができる。また、側面２ｄを下にして、床や棚等の上に直に置くこともできる。そのため、室内の様々な場所に設置でき、上空を飛翔するハエおよび床すれすれを飛ぶハエ等を捕獲できる。
【００３４】
上記のように、本実施形態の捕虫器１は、ハエ取り紙５１が筐体３１の内部空間に格納されているため、一見して捕虫器と分かり難い。また、粘着部位５２に捕獲された虫は、使用者等から直接見え難く、また、衣服や手等が粘着部位に直接触れる機会も減少するため、衛生的である。従って、特に飲食店等において、不特定多数の人の目に触れる店内にも好適に設置することができるため、清潔で衛生的な環境を保つことができ、飲食店等のイメージを良好にする助けとなる。なお、ハエ取り紙５１は市販されているものをそのまま利用することができる。
【００３５】
また、捕虫器１を構成する筐体３１は、厚紙Ｓ１およびダンボールＳ２を貼合せた紙製材料から形成されているため、軽量であり、また、安価に製造することができる。さらに、接着剤、テープおよびステープル等を使用せず、差込片３、７、１５を差込孔１７、８、１６に差込んで各面を連結して正四角柱体に形成されているため、組立および解体が容易であり、また、焼却等の容易な方法で廃却でき、リサイクルすることもできる。なお、差込孔は、折込片内、側面内および折線上等、筐体面のいずれに穿設されてもよい。
【００３６】
加えて、捕虫器１を構成する筐体３１の内面を構成している厚紙Ｓ１は、クリーム色の艶加工が施されているため、光を反射する。一般に、虫は黄系の色を好み、また、光の刺激によって走性を示す走光性を持つことが知られている。虫は、その習性のために、内面がクリーム色で、かつ、光を反射して内部が明るくなっている筐体３１に侵入しやすくなる。そのため、捕虫器１は、捕獲率が向上する。さらに、捕虫器１は、上述のような簡易な構造で、虫を誘引することができるため、安価に製造できる。
【００３７】
一方、ハエ取り紙５１は、輪ゴム６１を介して引掛けられ、爪部１０で押えられるという簡易な構造で、筐体３１に取り付けられているため、容易に取外し可能である。従って、ハエ取り紙５１を交換し、筐体３１を再利用することもできる。また、筐体３１を捕虫用ケースとして販売し、従来の市販されているハエ取り紙を取付け、捕虫器として使用することもできる。すなわち、捕虫用ケースとハエ取り紙を個別に販売することによって、使用者がそれぞれを価格や性能に応じて選択することができる。
【００３８】
また、ハエ取り紙５１を取付ける際に、折込片５ａに形成された円形孔６から輪ゴム６１を出し、その上から蓋面１１を被せているため、背面となる側面２ｄ以外の表面に輪ゴム６１が露出せず、見栄えが良い。
【００３９】
以上、本発明について好適な実施形態を挙げて説明したが、本発明はこれらの実施形態に限定されるものではなく、以下に示すように、本発明の要旨を逸脱しない範囲において種々の改良および設計の変更が可能である。
【００４０】
すなわち、本実施形態において、円形状の侵入孔４を有する正四角柱状の筐体３１を示したが、この形状に限定されるものではなく、虫が侵入可能な大きさのものであればよく、例えば、多角形、角丸多角形および楕円形等でもよく、さらに、外形は三角柱、六角柱、四角錘および円錐等、内部に粘着材を収納できる形状であればよい。但し、侵入した虫が、侵入孔４を通って筐体３１の外へ、容易に出ることができない大きさであることが望ましい。
【００４１】
また、一枚の紙製材料（厚紙Ｓ１およびダンボールＳ２を貼着した二層構造）から構成される筐体３１を示したが、材質は、木材、金属、プラスチック等でもよい。また、蓋が別体のものなどでもよく、さらに、内部に揮発性誘引剤、食餌誘引剤および誘引ランプ等の誘引手段を設けたものであってもよい。これにより、さらに、虫が誘引され、捕獲率を向上させることができる。
【００４２】
一方、ハエ取り紙は、リボン状の黄色い合成フィルムの両面に粘着剤が塗布された粘着部位５２、粘着部位５２の上端に配設された取付部５４および下端に配設された皿部５５から構成されているが、粘着材はこれに限定されるものではない。すなわち、粘着部位５２は、シート状でもよく、また、誘引剤、殺虫成分、安定剤などを含有させてもよい。これにより、誘引性および殺虫性を向上させ、さらに、粘着性を長持ちさせることができる。なお、一般に、虫は黄系の色を好むことが知られているため、市販のハエ取り紙は、黄色の合成フィルム等が使用されていることが多い。
【００４３】
また、ハエ取り紙５１は、上端に取りつけられた輪ゴム６１を円形孔６に通して引掛部２１に引掛け、下端の皿部５５を筐体３１の爪部１０で押えて取付けられているが、ハエ取り紙５１の取り付け方法は、これに限定されるものではない。例えば、筐体３１の蓋面１１および底面１２の中央にそれぞれ引掛部を設け、ハエ取り紙５１の両端にそれぞれ取付けられた輪ゴムを引掛けてもよい。これにより、ハエ取り紙５１は、側面に接触しない状態に取付けられる。また、輪ゴムでなく、紐および針金等を用いてもよい。
【００４４】
さらに、一つのハエ取り紙５１が格納されるものを示したが、格納される数は一つに限定されるものではなく、例えば、図６に示すように、二つのハエ取り紙５１が内部に並設され、側面に角丸四角形の侵入孔４ａが複数穿設されている筐体３１ａを有する捕虫器１０１であってもよい。捕虫器１０１は、粘着性による捕獲面積が拡大されるため、捕獲効率が向上される。
【００４５】
【発明の効果】
以上のように、請求項１の発明の捕虫用ケースは、筐体の内部空間に、虫を捕獲する粘着性物質を格納できるため、人間の手や衣類が粘着性物質に直接触れることを少なくできる。さらに、粘着性物質の粘着力によって捕獲された虫を使用者等の視界から遮ることができる。
【００４６】
請求項２の発明の捕虫用ケースは、請求項１の捕虫用ケースの効果に加えて、捕虫用ケースを構成する筐体が一枚の平板から組立てられ、接着剤、テープおよびステープル等を使用せず、差込みのみで固定されているため、組立ておよび解体が容易にできる。そのため、例えば、捕虫用ケースを組立てた状態で販売する場合、製造効率がよい。また、使用者が自身で組立てて使用することもできる。さらに、一枚の平板であるため、小さい容量で保管および輸送することができる。
【００４７】
請求項３の発明の捕虫用ケースは、請求項１または請求項２の発明の捕虫用ケースの効果に加えて、筐体が紙製材料から形成されているため、プラスチックや金属等に比べ、軽量であり、また、安価に製造することができる。また、筐体は、焼却等の容易な方法で廃却でき、リサイクルすることもできる。
【００４８】
請求項４の発明の捕虫器は、請求項１乃至請求項３のいずれか一つの発明の捕虫用ケースの効果に加えて、人畜無害な粘着性物質の粘着力を利用した衛生的な捕虫器であるため、殺虫剤を散布することに躊躇する場所等に設置することにより、不快な思いをせず、良好に虫を捕獲できる。
【００４９】
請求項５の発明の捕虫器は、請求項４の発明の捕虫器の効果に加えて、内部空間に捕獲する虫を誘引する誘引手段を有するため、虫が筐体内部に誘引され、捕虫率を向上できる。
【００５０】
請求項６の発明の捕虫器は、請求項４または請求項５の発明の捕虫器の効果に加えて、光反射性素材で筐体の内面を構成することにより、虫を誘引しているため、簡易な構造で、捕虫率を向上でき、さらに、安価に製造できる。
【００５１】
請求項７の発明の捕虫器は、請求項４乃至請求項６のいずれか一つの発明の捕虫器の効果に加えて、床および棚等に直に設置、壁および天井等に掛止するなど、室内の種々の場所に設置することができるため、室内の種々の場所に存在する虫を捕獲できる。
【図面の簡単な説明】
【図１】本発明の一実施形態である捕虫器の構成を示す斜視図である。
【図２】捕虫器の筐体の構成を示す展開図である。
【図３】捕虫器の構成を示す分解斜視図である。
【図４】捕虫器の下端付近の要部拡大斜視図である。
【図５】捕虫器の上端付近の要部拡大斜視図である。
【図６】本発明の捕虫器の別例の構成を示す斜視図である。
【符号の説明】
１，１０１　捕虫器
２ａ，２ｂ，２ｃ，２ｄ　側面（筐体面）
３，７，１５　差込片
４，４ａ　侵入孔
５ａ，５ｂ，５ｃ，５ｄ，５ｅ，１３　折込片（筐体面）
８，１６，１７　差込孔
１０　爪部（取付け手段）
１１　蓋面（筐体面）
１２　底面（筐体面）
１４　折返し片（筐体面）
１８，１９　フック孔
２１　引掛部（取付け手段）
３１，３１ａ　筐体（捕虫用ケース）
５１　ハエ取り紙（捕獲手段）
５２　粘着部位（粘着性物質）
【図１】
2004113081.tif 000003
【図２】
2004113081.tif 000004
【図３】
2004113081.tif 000005
【図４】
2004113081.tif 000006
【図５】
2004113081.tif 000007
【図６】
2004113081.tif 000008